(57)【要約】【課題】インナー着に装着した通気性パッドによりファンからの風の流通路を作り、高温の環境下でも快適に過ごすことができる涼感機能服を提供することを目的とする。【解決手段】身体の上半身を覆うアウター着と該アウター着の内側に装着するインナー着で構成され、アウター着は、前部と後部にユニット収納袋を設け、該ユニット収納袋の中にインナー着内を流通する風を発生する涼感ユニットケースを組み込み、インナー着は、複数本の通気性パッドを縦方向に装着して、涼感ユニットケースからの風の流通路を形成したことを特徴とする。【選択図】図２
2019199667.tif 000002
【特許請求の範囲】
【請求項１】
身体の上半身を覆うアウター着と該アウター着の内側に装着するインナー着で構成され、アウター着は、前部と後部にユニット収納袋を設け、該ユニット収納袋の中にインナー着内を流通する風を発生する涼感ユニットケースを組み込み、インナー着は、複数本の通気性パッドを縦方向に装着して、前記涼感ユニットケースからの風の流通路を形成したことを特徴とする涼感機能服。
【請求項２】
前記通気性パッドは、ウレタン系フィルター素材で形成され、その反発・弾力性により人体の動きに連動して前記風の流通路を確保することを特徴とする請求項１記載の涼感機能服。
【請求項３】
前記涼感ユニットケースは、ファンユニットを真ん中にして、一方の側に電池ボックス、他方の側にミストユニットと制御ボックスを配置すると共に、ファンユニットは両側に配置した電池ボックス、ミストユニット、制御ボックスより前面に出っ張った構成としたことを特徴とする請求項１記載の涼感機能服。
【請求項４】
前記ファンユニットの出っ張った前面は、ファンの風が直接身体に当たらないように風防板を形成し、出っ張った前面の上下左右は、ファンの風が分散するように開口部を形成したことを特徴とする請求項３記載の涼感機能服。
【請求項５】
前記涼感ユニットケースは、前記ファンユニットとミストユニットを交互に作動させる制御基板を制御ボックス内に備えたことを特徴とする請求項３記載の涼感機能服。
【発明の詳細な説明】
【技術分野】
【０００１】
本発明は、アウター着とインナー着で構成した涼感機能服に関し、インナー着に通気性パッドを装着することにより、高温の環境下でも快適に過ごすことができる涼感機能服に関する。
【背景技術】
【０００２】
各種の工事現場、特に屋外の炎天下で作業をする場合、汗による不快感を無くすことが必要である。特に汗をかいたまま放置すると、汗疹になったり、身体が冷えて風邪をひく原因ともなる。このような環境下で作業する時に着用する衣服として、従来から、衣服にファン装置を組み込み、ファンにより外気を衣服の中に送り込み身体を冷やす空調衣服が知られている（例えば、特許文献１）。
【先行技術文献】
【特許文献】
【０００３】
【特許文献１】特開２００６−１３２０４０号公報
【発明の開示】
【発明が解決しようとする課題】
【０００４】
しかしながら、汗により衣服が身体に密着すると、ファンにより外気を衣服の中に送り込んでも密着した衣服により風の通り道が遮られるため、十分に身体を冷やすことはできなかった。本発明は、インナー着に装着した通気性パッドによりファンからの風の流通路を作り、高温の環境下でも快適に過ごすことができる涼感機能服を提供することを目的とする。
【課題を解決するための手段】
【０００５】
上記目的を達成するため、請求項１の涼感機能服は、身体の上半身を覆うアウター着と該アウター着の内側に装着するインナー着で構成され、アウター着は、前部と後部にユニット収納袋を設け、該ユニット収納袋の中にインナー着内を流通する風を発生する涼感ユニットケースを組み込み、インナー着は、複数本の通気性パッドを縦方向に装着して、涼感ユニットケースからの風の流通路を形成したことを特徴とする。
【０００６】
また、請求項２の涼感機能服は、請求項１記載の涼感機能服であって、通気性パッドは、ウレタン系フィルター素材で形成され、その反発・弾力性により人体の動きに連動して風の流通路を確保することを特徴とする。
【０００７】
また、請求項３の涼感機能服は、請求項１記載の涼感機能服であって、涼感ユニットケースは、ファンユニットを真ん中にして、一方の側に電池ボックス、他方の側にミストユニットと制御ボックスを配置すると共に、ファンユニットは両側に配置した電池ボックス、ミストユニット、制御ボックスより前面に出っ張った構成としたことを特徴とする。
【０００８】
また、請求項４の涼感機能服は、請求項３記載の涼感機能服であって、ファンユニットの出っ張った前面は、ファンの風が直接身体に当たらないように風防板を形成し、出っ張った前面の上下左右は、ファンの風が分散するように開口部を形成したことを特徴とする。
【０００９】
また、請求項５の涼感機能服は、請求項３記載の涼感機能服であって、涼感ユニットケースは、ファンユニットとミストユニットを交互に作動させる制御基板を制御ボックス内に備えたことを特徴とする。
【発明の効果】
【００１０】
本発明の涼感機能服によれば、身体の上半身を覆うアウター着と該アウター着の内側に装着するインナー着で構成され、アウター着は、前部と後部にユニット収納袋を設け、該ユニット収納袋の中にインナー着内を流通する風を発生する涼感ユニットケースを組み込み、インナー着は、複数本の通気性パッドを縦方向に装着して、涼感ユニットケースからの風の流通路を形成したので、高温の環境下でも快適に過ごすことができる。
【００１１】
また、本発明の涼感機能服によれば、通気性パッドは、ウレタン系フィルター素材で形成され、その反発・弾力性により人体の動きに連動して風の流通路を確保するので、高温の環境下でも快適に過ごすことができる。
【００１２】
また、本発明の涼感機能服によれば、涼感ユニットケースは、ファンユニットを真ん中にして、一方の側に電池ボックス、他方の側にミストユニットと制御ボックスを配置すると共に、ファンユニットは両側に配置した電池ボックス、ミストユニット、制御ボックスより前面に出っ張った構成としたので、高温の環境下でもファンとミストによって快適に過ごすことができる。
【００１３】
また、本発明の涼感機能服によれば、ファンユニットの出っ張った前面は、ファンの風が直接身体に当たらないように風防板を形成し、出っ張った前面の上下左右は、ファンの風が分散するように開口部を形成したので、広い範囲での通風が可能で高温の環境下でも快適に過ごすことができる。
【００１４】
また、本発明の涼感機能服によれば、涼感ユニットケースは、ファンユニットとミストユニットを交互に作動させる制御基板を制御ボックス内に備えたので、高温の環境下でもファンとミストによって快適に過ごすことができる。
【図面の簡単な説明】
【００１５】
【図１】本発明による涼感機能服を構成するアウター着の一実施例を示した説明図である。
【図２】本発明による涼感機能服を構成するインナー着の一実施例を示した説明図であり、（ａ）は正面図、（ｂ）は背面図、（ｃ）は側面図である。
【図３】涼感ユニットケースを示した説明図であり、（ａ）は斜視図、（ｂ）は同図の内部透視図である。
【図４】ファンユニットとミストユニットを交互に作動させる制御基板の内部回路図である。
【発明を実施するための形態】
【実施例】
【００１６】
以下、本発明の実施の形態について、図面を参照して説明する。図１は本発明の涼感機能服を構成するアウター着を示した説明図であり、アウター着１０は身体の上半身を覆うもので、遮光度の高い特殊繊維により太陽光を遮断する素材を用い、衣服内への太陽熱の進入を確実に防ぎ、前面１０ａにはインナー着内を流通する風の吸入口となる空気孔１１が中央に、インナー着内を流通する風を発生する涼感ユニットケース３０を収納するユニット収納袋１２が前面１０ａの裏側に設けられ、表側にはユニット収納袋１２の蓋１３が設けられる。空気孔１１の横には涼感ユニットケースを身体に密着させるためのベルト１４のバックル１５が設けられる。また、首元、両脇及び袖の付け根は風の排出口となるメッシュ素材１７で縫製される。なお、図示はしないが、インナー着内を流通する風の通り道となる空気孔１１、インナー着内を流通する風を発生する涼感ユニットケースを収納するユニット収納袋１２、ユニット収納袋１２の蓋１３に相当するものが後面１０ｂにも設けられる。また、アウター着１０の両脇に２個、前面１０ａのユニット収納袋１２の蓋１３の上部に３個、後面１０ｂのユニット収納袋１２の蓋１３の上部に３個の接合部材１６が設けられる。
【００１７】
図２は涼感機能服を構成するインナー着を示した説明図であり、図２（ａ）〜図２（ｃ）に示すように、インナー着２０はアウター着１０の内側に装着するもので、首元及び脇の下の切れ込みを大きくしたランニング形状であり、前部、後部、両脇に複数本の通気性パッド２１を縦方向に装着する。本実施例では、前部に２本の通気性パッド、後部に２本の通気性パッド、両脇にそれぞれ１本の通気性パッドをインナー着の内側に装着する。通気性パッド２１は、通気性の良いウレタン系フィルター素材で形成され、蒸れを防ぎ湿気を溜めない特性を有する。また、その反発・弾力性により人体の動きに連動して常に風の流通路を確保するしなやかな動きを実現する。インナー着２０の両脇に２本、前部に３本、後部に３本のひも２２が設けられ、アウター着１０を装着したときにアウター着１０の接合部材１６と連結してインナー着２０とアウター着１０がずれないようにした。
【００１８】
図３はインナー着内を流通する風を発生する涼感ユニットケースを示した説明図であり、涼感ユニットケース３０は、図３（ａ）に示すように、ファンユニット３１を真ん中にして一方の側に電池ボックス３２、他方の側にミストユニット３３と制御ボックス３４を配置した構成である。ファンユニット３１は両側に配置した電池ボックス３２、ミストユニット３３、制御ボックス３４より前面に出っ張った構成とされ、電池ボックス３２にはバッテリーＢが収納され、制御ボックス３４にはファンユニット３１とミストユニット３３を交互に作動させる制御基板が収納される。
【００１９】
ファンユニット３１の出っ張った前面は、風防板３８が形成されファンユニット３１のファン３５の風が直接身体に当たらないようにするとともに、出っ張った前面の上下左右はファン３５の風が分散するように開口部３９が形成される。ミストユニット３３は、水が入ったボトル４０とミストを発生するミスト発生器４１で構成される。
【００２０】
涼感ユニットケース３０の上部には、電池ボックス３２、ファンユニット３１、ミストユニット３３、制御ボックス３４をコネクターで繋ぐ配線コード３６が設けられ、ファンユニット３１、ミストユニット３３を起動する動作スイッチＡとファン３５の風量を調節する風量調節器Ｇが設けられる。
【００２１】
図４は、制御基板の内部回路図を示したもので、Ａは動作スイッチ、Ｂはバッテリー、Ｃはファンユニット３１及びミストユニット３３を交互に作動させるタイマー回路、Ｄはファンユニット制御回路、Ｅはミストユニット制御回路、Ｆはファン速度制御回路、Ｇは風量調節器で、バッテリーＢは電池ボックス３２に収納され、タイマー回路Ｃ、ファンユニット制御回路Ｄ、ミストユニット制御回路Ｅ、ファン速度制御回路Ｆは制御ボックス３３内に収納される。
【００２２】
次に、涼感機能服の装着方法について説明する。通気性パッド２１を装着したインナー着２０を身体に纏い、その上からアウター着１０を覆う。そのとき、インナー着２０の両脇、前部、後部に設けたひも２２をアウター着１０の両脇、前面１０ａ、後面１０ｂに設けた接合部材１６に連結させ、現場作業をしたときにインナー着２０とアウター着１０がずれないようにした。特に、インナー着２０の前部、後部に設けたひも２２とアウター着１０の前面１０ａ、後面１０ｂに設けた接合部材１６との連結によりインナー着２０とアウター着１０の隙間をなくし、ファン３５の風がインナー着内を流通するようにした。
【００２３】
アウター着１０の前面１０ａ及び後面１０ｂの裏側にはユニット収納袋１２が設けられ、その中にインナー着内を流通する風を発生する涼感ユニットケース３０を収納する。ユニット収納袋１２にはアウター着１０とユニット収納袋１２の間にベルト１４が通り、前面１０ａに設けたバックル１５を引き締めると身体に涼感ユニットケース３０が密着し安定感が増す。
【００２４】
上記のようにして装着した涼感機能服の動作について説明する。涼感機能服を構成するインナー着２０、アウター着１０の生地は遮光度の高い特殊繊維で形成され、２枚重ねにすることで更に遮光度の度合いを上げ、確実に太陽熱を遮断することができる。また、インナー着２０の内側に装着した通気性パッド２１により身体とインナー着２０の空間を保ちインナー着内を流通する風を通り易くした。
【００２５】
通気性パッド２１は通気性の良いウレタン系フィルター素材で形成され、蒸れを防ぎ湿気を溜めない特性を有する。ウレタン素材で形成され、その反発、弾力性により人体の動きに連動して常に通気道を確保するしなやかな動きを実現する。
【００２６】
屋外の炎天下で作業をする場合、身体に汗が流れるため、涼感ユニットケース３０を
作動させる。即ち、図４に示すように、涼感ユニットケース３０の上部に設けた動作スイッチＡをオンにすると、降圧された電圧がタイマー回路Ｃに供給される。タイマー回路Ｃは端子ＲＢ４から１０秒、端子ＲＢ５から５０秒の間隔で発振を始め、ミストユニット制御回路Ｅを介してミストユニット３３を１０秒間作動させ、続いてファンユニット制御回路Ｄを介してファンユニット３１を５０秒間作動させ、それを繰り返す。即ち、ミストユニット３３とファンユニット３１が交互に作動状態となり、ミストが１０秒、ファンが５０秒作動状態となる。なお、ファン３５の風量が弱いときは風量調節器Ｇによりファン３５の風量を強くすることが出来る。
【００２７】
ミストユニット３３とファンユニット３１を交互に作動させることにより、ミストが身体に付着し、そこにファンの風が当たることで気化熱現象を利用し、確実に体内に溜まった熱を放出し、体温の上昇を抑えることが出来る。又、ファンから送られる風は、直接身体の皮膚に当たるので、より効果的な冷却を促すとともに、遮光度の高い特殊繊維により太陽光を遮断する素材を２枚重ねにしてインナー着とアウター着にすることで、太陽熱を身体に伝えにくくして、真夏に日陰に入り、裸で水を浴びて風を浴びるのと同じ効果である。
【００２８】
なお、インナー着２０の上からアウター着１０を装着する際に、インナー着２０のひも２２とアウター着１０の接合部材１６を連結してずれないようにしたが、インナー着２０をアウター着１０に縫い付けて一体型（インナー・アウター一体型）にすれば、インナー着２０のひも２２とアウター着１０の接合部材１６を省略することが出来る。
【００２９】
以上説明したように、本発明によれば、身体の上半身を覆うアウター着と該アウター着の内側に装着するインナー着で構成され、アウター着は、前部と後部にユニット収納袋を設け、該ユニット収納袋の中にインナー着内を流通する風を発生する涼感ユニットケースを組み込み、インナー着は、首元及び脇の下の切れ込みを大きくしたランニング形状とし、前部、後部、及び両脇に複数本の通気性パッドを縦方向に装着して、インナー着内を流通する風を通り易くしたので、インナー着と身体の間に風の通り道となる空間を形成することが出来、涼感ユニットケースのファンユニットとミストユニットにより効果的な冷却を行なうことができ、高温の環境下でもファンとミストによって快適に過ごすことができる。
【符号の説明】
【００３０】
１０  アウター着
１１  空気孔
１２  ユニット収納袋
１３  ユニット収納袋の蓋  
１４  ベルト
１５  バックル
１６  接合部材
１７  メッシュ素材
２０  インナー着
２１  通気性パッド
２２  ひも
３０  涼感ユニットケース
３１  ファンユニット
３２  電池ボックス
３３  ミストユニット
３４  制御ボックス
３５  ファン
３６  配線コード
３７  制御基板
３８  風防板
３９  開口部
４０  ボトル
４１  ミスト発生器
Ａ  動作スイッチ
Ｂ  バッテリー
Ｃ  タイマー回路
Ｄ  ファンユニット制御回路
Ｅ  ミストユニット制御回路
Ｆ  ファン速度制御回路
Ｇ  風量調節器
【図１】
2019199667.tif 000003
【図２】
2019199667.tif 000004
【図３】
2019199667.tif 000005
【図４】
2019199667.tif 000006